(57)【要約】【課題】洗濯機の振動を抑制する洗濯機用置台を提供する。【解決手段】洗濯機用置台は、床上に置かれる木製の地板と当該地板の周囲に取り付けられるフレーム状の側板とから構成されるベース台と、ベース台の地板上に載置される木製の底板と、底板上に第一の接着剤により接着されて積層される第一の石膏ボードと、第一の石膏ボード上に第二の接着剤により接着されて積層されるゴム製又はアスファルト製のマットと、マット上に第三の接着剤により接着されて積層される第二の石膏ボードと、第二の石膏ボード上に第四の接着剤により接着されて積層されるコルク板とを備える。【選択図】図１
2020114303.tif 000002
【特許請求の範囲】
【請求項１】
洗濯機を置くための洗濯機用置台において、
床上に置かれる木製の地板と当該地板の周囲に取り付けられるフレーム状の側板とから構成されるベース台と、
前記ベース台の前記地板上に載置される木製の底板と、
前記底板上に第一の接着剤により接着されて積層される第一の石膏ボードと、
前記第一の石膏ボード上に第二の接着剤により接着されて積層されるゴム製又はアスファルト製のマットと、
前記マット上に第三の接着剤により接着されて積層される第二の石膏ボードと、
前記第二の石膏ボード上に第四の接着剤により接着されて積層されるコルク板とを備えることを特徴とする洗濯機用置台。
【請求項２】
前記第一、第二及び第三の接着剤は、アクリル樹脂系エマルション型接着剤であることを特徴とする請求項１に記載の洗濯機用置台。
【請求項３】
前記地板及び前記底板は、ベニヤ板であることを特徴とする請求項１又は２に記載の洗濯機用置台。
【請求項４】
請求項１乃至３のいずれかに記載の洗濯機用置台の設置方法であって、
前記ベース台を床に載置して、第一のビスにより前記地板を当該床に固定する工程と、
前記地板の上に前記底板、前記第一の石膏ボード、前記マット、前記第二の石膏ボード及び前記コルク板を積層して前記洗濯機用置台を形成する工程と、
前記コルク板の上に洗濯機用防水パンを載置して、第二のビスが前記床まで到達しないように当該第二のビスにより前記防水パンを前記洗濯機用置台に固定する工程とを備えることを特徴とする設置方法。
【発明の詳細な説明】
【技術分野】
【０００１】
本発明は、家屋・住居内で家庭用電気洗濯機を置くための洗濯機用置台及びその設置方法に関する。
【背景技術】
【０００２】
家庭用の電気洗濯機は、水栓や排水口があらかじめ設けられた家屋内の所定箇所に設置される。洗濯機の設置は、床の上に直接設置される場合や、床の上に置かれた洗濯機用の防水パン上に設置される場合など、家屋の設置条件に応じて適宜行なわれる。家屋内における洗濯機設置場所に防水パンがあらかじめ取り付けられていない場合は、洗濯機の設置の際、防水パンも同時に床に取り付ける場合もある。
【０００３】
また、２階建て以上の戸建住宅や集合住宅などでは、上階からの振動を抑制するために、少なくとも上階の床には制振・防振材などが床の下地に設置され、又は制震構造の床板が用いられる（特許文献１、２）。上階に設置された洗濯機の振動（特に、脱水動作による振動）は、通常は床の制振機能により抑制されうる。
【先行技術文献】
【特許文献】
【０００４】
【特許文献１】特開２００５−０７６８１６号公報
【特許文献２】特開平９−２０３１５３号公報
【発明の概要】
【発明が解決しようとする課題】
【０００５】
このように、床上に設置された洗濯機の特に脱水動作時の振動は、通常、床や防水パンなどの制振・防振機能により吸収されるが、ときに十分に吸収しきれず、家屋全体が洗濯機の振動と共振する現象が発生するような振動を抑制しきれない場合が想定される。
【０００６】
そこで、本発明の目的は、洗濯機の振動を抑制することができる洗濯機を置くための洗濯機用置台及びその設置方法を提供することにある。
【課題を解決するための手段】
【０００７】
上記目的を達成するための本発明の洗濯機用置台は、床上に置かれる木製の地板と当該地板の周囲に取り付けられるフレーム状の側板とから構成されるベース台と、前記ベース台の前記地板上に載置される木製の底板と、前記底板上に第一の接着剤により接着されて積層される第一の石膏ボードと、前記第一の石膏ボード上に第二の接着剤により接着されて積層されるゴム製又はアスファルト製のマットと、前記マット上に第三の接着剤により接着されて積層される第二の石膏ボードと、前記第二の石膏ボード上に第四の接着剤により接着されて積層されるコルク板とを備えることを特徴とする。
【０００８】
好ましくは、第一、第二及び第三の接着剤は、アクリル樹脂系エマルション型接着剤であり、地板及び底板は、ベニヤ板である。
【０００９】
上記本発明の洗濯機用置台の設置方法は、前記ベース台を床に載置して、第一のビスにより前記地板を当該床に固定する工程と、前記地板の上に前記底板、前記第一の石膏ボード、前記マット、前記第二の石膏ボード及び前記コルク板を積層して前記洗濯機用置台を形成する工程と、前記コルク板の上に洗濯機用防水パンを載置して、第二のビスが前記床まで到達しないように当該第二のビスにより前記防水パンを前記洗濯機用置台に固定する工程とを備えることを特徴とする。
【発明の効果】
【００１０】
本発明によれば、家庭用の電気洗濯機の振動を確実に抑制することができ、家屋との共振も防止される。
【図面の簡単な説明】
【００１１】
【図１】本発明の実施の形態における洗濯機用置台の構成例を示す断面図である。
【図２】ベース台１０の平面図及び正面図を示す。
【図３】底板１１の平面図を示す。
【図４】本発明の実施の形態における洗濯機置台の外観を示す写真である。
【発明を実施するための形態】
【００１２】
以下、図面を参照して本発明の実施の形態について説明する。しかしながら、かかる実施の形態例が、本発明の技術的範囲を限定するものではない。
【００１３】
図１は、本発明の実施の形態における洗濯機用置台の構成例を示す断面図である。洗濯機用置台は、家屋の床に取り付けられる台であって、その平面形状はほぼ正方形の矩形であり、洗濯機が載置可能に洗濯機の横断面形状より拡張された平面を有する。一例としての平面寸法は、縦720mm×横720mm（後述する側板の幅を含む）である。また、高さは、以下に示す各層の積層により50〜60mm程度である。
【００１４】
洗濯機用置台１は、床上に置かれる木製の地板１０ａと当該地板１０ａの周囲に取り付けられるフレーム状の側板１０ｂとから構成されるベース台１０と、ベース台１０地板１０ａ上に載置される最下層の木製の底板１１と、その底板１１上に第一の接着剤１２により接着されて積層される第一の石膏ボード１３と、その第一の石膏ボード１３上に第二の接着剤１４により接着されて積層されるゴム製又はアスファルト製のマット１５と、そのマット１５上に第三の接着剤１６により接着されて積層される第二の石膏ボード１７と、その第二の石膏ボード１７上に第四の接着剤１８により接着されて積層される最上層のコルク板１９とを備えて構成される。
【００１５】
底板１１、第一の接着剤１２、第一の石膏ボード１３、第二の接着剤１４、マット１５、第三の接着剤１６、第二の石膏ボード１７、第四の接着剤１８及びコルク板１９は、ベース台１０の地板１０ａ上に積層される層部分Ａを構成する。
【００１６】
最上層のコルク板１９の面上に洗濯機用防水パン２３が載置され、その防水パン２３に洗濯機が置かれる。防水パン２３に排水用の開口部が設けられるいる場合は、ベース台１０の地板１０ａ、底板１１、第一の石膏ボード１３、マット１５、第二の石膏ボード１７及びコルク板１９それぞれには、防水パン２３の孔部に対応する位置に開口部が設けられる。
【００１７】
図２は、ベース台１０の平面図（図２（ａ））及び正面図（図２（ｂ））を示す。ベース台１０の地板１０ａは、厚さ9mm程度のベニヤ板であり、その四方全周にわたって幅30mm及び高さ50mm程度のメラミン化粧板からなる側板１０ｂが取り付けられる。側板１０ｂに囲まれる内側に、底板１１、第一の石膏ボード１３、マット１５、第二の石膏ボード１７及びコルク板１９が積層される。
【００１８】
図３は、底板１１の平面図を示す。底板１１は厚さ5mm程度のベニヤ板である。ベニヤ板を最下層の底板１１とし、ベース台１０の地板１０ａ上に載置される。底板１１の縦横寸法は例えば縦655mm×横655mmであり、この上に順に積層される層部分の他の構成要素も同じ形状及び縦横寸法である。
【００１９】
第一の石膏ボード１３が、底板１１の上に第一の接着剤１２により接着されて積層される。石膏ボードは、例えば厚さ12.5mm程度のものが用いられ、第一の接着剤１２は、例えばアクリル共重合樹脂を主成分とするアクリル樹脂系エマルション型接着剤（一例として、商品名：サウンドカット、吉野石膏株式会社製）が用いられる。アクリル樹脂系エマルション型接着剤は、硬化後もある程度の柔軟性を有することにより、振動吸収材として機能する。第一の接着剤１２は、アクリル樹脂系エマルション型接着剤に限らず、硬化後もある程度の柔軟性を有する他の種類の接着剤であってもよい。
【００２０】
マット１５が、第一の石膏ボード１３上に第二の接着剤１４により接着されて積層される。マット１５は、ゴム又はアスファルトを基材とするシート体又はマット体であり、防音・制振機能を有する材料である。例えば厚さ4mm程度のものが用いられ、第二の接着剤１４は、第一の接着剤１２と同様に例えばアクリル樹脂系エマルション型接着剤が用いられる。
【００２１】
第二の石膏ボード１７が、ゴム製マット１５上に第三の接着剤１６により接着されて積層される。石膏ボードは、第一の石膏ボード１３と同様に、例えば厚さ12.5mm程度のものが用いられ、第三の接着剤１６は、第一の接着剤１２と同様に例えばアクリル樹脂系エマルション型接着剤が用いられる。
【００２２】
コルク板１９が、第二の石膏ボード１７上に第四の接着剤１８により接着されて積層される。コルク板１９は、例えば厚さ5mm程度であり、第四の接着剤１８は、例えば速乾性を有する合成ゴム系速乾型接着剤が用いられる。コルク板１９も防音・制振機能を有する材料である。
【００２３】
本発明の洗濯機用置台１を構成する各層の部材において、例えば第一の接着剤１２、第二の接着剤１４、第三の接着剤、ゴム製又はアスファルト製のマット１５は、それ単体で防音・制振性能を有する部材であるが、上記構成の通り、石膏ボードとは振動吸収スペクトルが異なるマット１５の両面を第一の石膏ボード１３と第二の石膏ボード１７で挟む構造とし、マット１５と両石膏ボード１３、１７との間はアクリル樹脂系エマルション接着剤で接着し、さらに、最上層にコルク板１９を置く構成とすることで、洗濯機の振動をほぼ完全に抑制することができ、家屋全体と共振する現象の発生を防止することができる。マット１５を挟んで石膏ボードを２枚用いることで、さまざまな振動を確実に吸収することができる。
【００２４】
上述した本発明の洗濯機用置台の設置方法について説明する。まず、ベース台１０を床の所定位置に載置し、第一のビス（ねじ）２１により地板１０ａを当該床に固定する。その後、床に固定されたベース台１０の地板１０ａ上に底板１１を載置し、さらにその上に順に第一の石膏ボード１３、マット１５、第二の石膏ボード１７及びコルク板１９をそれぞれの接着剤を介して積層して洗濯機用置台１を形成する。
【００２５】
コルク板１９の上に市販されている洗濯機用防水パン２３を載置して、第二のビス（ねじ）２２が床まで到達しないようにこの第二のビス２２により防水パン２３を洗濯機用置台１に固定する。第二のビス２２は、家屋の床に届かない長さであり、その先端が洗濯機用置台１の内部にとどまるようにして（好ましくは、図示するように、第二のビス２２の先端が底板１１に到達する程度にして）、防水パン２３を洗濯機用置台１に固定する。このため、防水パン２３の上に載せられた洗濯機の振動は、床に伝播せずに、洗濯機用置台１にのみ伝播し、洗濯機用置台１により確実に制振される。ビスを介した振動の床への伝播は生じない。
【００２６】
図４は、本発明の実施の形態における洗濯機置台の外観を示す写真である。図４（ｂ）の写真は、図４（ａ）に示す洗濯機置台１上に防水パン２３が載置された状態を示す。図４では、写真撮影のために、側板１０ｂの一辺（図の手前の辺）が外され、内部の層部分の断面が視認できる状態となっている。
【００２７】
本発明は、上述の実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００２８】
１：洗濯機用置台、１０：ベース台、１０ａ：地板、１０ｂ：側板、１１：底板、１２：第一の接着剤、１３：第一の石膏ボード、１４：第二の接着剤、１５：マット、１６：第三の接着剤、１７：第二の石膏ボード、１８：第四の接着剤、１９：コルク板、２１：第一のビス、２２：第二のビス、２３：洗濯機用防水パン
【図１】
2020114303.tif 000003
【図２】
2020114303.tif 000004
【図３】
2020114303.tif 000005
【図４】
2020114303.tif 000006